(57)【要約】【課題】取忘れ回収部に特別に集積機構を必要とすることなく紙葉類を集積できるようにする。【解決手段】投入部１に投入された券を一枚ずつ取り込んで識別部５で識別し、この識別部５によって識別された券をその種類別に保留手段７，８に取り込んで区分集積するとともに、複数種の券を混合保留部１４に取り込んで混合集積し、必要に応じて保留手段７，８から必要枚数の券を繰り出して排出部１に一括して排出し、この排出された券が一定時間放置されるのに基づいて該券を取り込んで取忘れ回収部１０に回収する紙葉類処理装置において、排出部に一定時間放置されて取り込まれる券を一旦、混合保留部１４に取り込んで集積したのち、この集積した券を一括して送り出して取忘れ回収部１０に回収させる構成とする。【選択図】図１
2007156733.tif 000002
【特許請求の範囲】
【請求項１】
投入部に投入された紙葉類を一枚ずつ取り込んで識別部で識別し、この識別部によって識別された紙葉類をその種類別に保留手段に取り込んで区分集積するとともに、複数種の紙葉類を混合保留部に取り込んで混合集積し、必要に応じて前記保留手段から必要枚数の紙葉類を繰り出して排出部に一括して排出し、この排出された紙葉類が一定時間放置されるのに基づいて該紙葉類を取り込んで取忘れ回収部に回収する紙葉類処理装置において、
前記排出部に一定時間放置されて取り込まれる前記紙葉類を一旦、前記混合保留部に取り込んで集積したのち、この集積した紙葉類を一括して送り出して前記取忘れ回収部に回収させる構成としたことを特徴とする紙葉類処理装置。
【請求項２】
投入部に投入された紙葉類を一枚ずつ取り込んで識別部で識別し、この識別部によって識別された紙葉類をその種類別に保留手段に取り込んで区分集積するとともに、複数種の紙葉類を混合保留部に取り込んで混合集積し、必要に応じて前記保留手段から必要枚数の紙葉類を繰り出して排出部に一括して排出し、この排出された紙葉類が一定時間放置されるのに基づいて該紙葉類を取り込んで取忘れ回収部に回収する紙葉類処理装置において、
前記識別部で識別できなかった紙葉類を退避させる退避部と、
この退避部に退避された紙葉類を前記識別部に送って再度識別させる手段と
を具備することを特徴とする紙葉類処理装置。
【請求項３】
投入部に投入された紙葉類を一枚ずつ取り込んで識別部で識別し、この識別部によって識別された紙葉類をその種類別に保留手段に取り込んで区分集積するとともに、複数種の紙葉類を混合保留部に取り込んで混合集積し、必要に応じて前記保留手段から必要枚数の紙葉類を繰り出して排出部に一括して排出し、この排出された紙葉類が一定時間放置されるのに基づいて該紙葉類を取り込んで取忘れ回収部に回収する紙葉類処理装置において、
前記識別部で識別できなかった紙葉類を退避させる退避部と、
この退避部に退避された紙葉類を前記識別部に送って再度識別させる手段とを具備し、
前記識別部で再度識別しても、識別できずに再度、前記退避部に集積された紙葉類を前記混合保留部に搬送して集積させたのち前記取忘れ回収部に回収することを特徴とする紙葉類処理装置。
【請求項４】
投入部に投入された紙葉類を一枚ずつ取り込んで識別部で識別し、この識別部によって識別された紙葉類をその種類別に保留手段に取り込んで区分集積するとともに、複数種の紙葉類を混合保留部に取り込んで混合集積し、必要に応じて前記保留手段から必要枚数の紙葉類を繰り出して前記識別部で計数して排出部に一括して排出し、この排出された紙葉類が一定時間放置されるのに基づいて該紙葉類を取り込んで前記識別部で計数して取忘れ回収部に回収する紙葉類処理装置において、
前記排出部に前記紙葉類が排出されてから取り込まれるまでの間、前記排出部の状態を録画する録画手段を具備し、
前記排出部に排出される紙葉類の計数結果と前記排出部から取り込まれる紙葉類の計数結果とが一致しないのに基づいて前記計数結果と前記録画手段によって録画された映像を保存することを特徴とする紙葉類処理装置。
【発明の詳細な説明】
【技術分野】
【０００１】
本発明は、例えば、駅などに設置されて券売機として適用される紙葉類処理装置に関する。
【背景技術】
【０００２】
紙葉類処理装置には、投入部に投入される紙葉類としての紙幣（以下、券という）を一枚ずつ取り込んで、これを識別部で識別し、その種類別に複数の保留部に区分集積し、また、識別された複数種の券を混合保留部に混合集積し、釣り銭が必要な場合には前記保留部に保留された集積紙葉類から必要枚数の紙葉類を繰り出して排出部に放出し、この放出された紙葉類が取り忘れられて一定時間放置されるのに基づいて該紙葉類を取り込むんで取忘れ回収部に集積状態で回収するものがある（例えば、特許文献１参照。）。
【特許文献１】特開平７−１６８９６７号公報
【発明の開示】
【発明が解決しようとする課題】
【０００３】
しかしながら、従来においては、券を集積させるための高価な集積機構を取忘れ回収部に必要としていたため、コスト高になるという問題があった。
【０００４】
また、識別部では、券を一度しか識別しないため、識別率が悪いものとなっていた。
【０００５】
さらに、排出部に放出した券の計数結果と排出部から回収した券の計数結果とが不一致の場合には、利用客の口座番号などをログとして保存して利用客とのトラブルを回避するようにしているが、利用客の口座番号などがない駅務機器においては、有効な手段ではなかった。
【０００６】
本発明は上記事情に着目してなされたもので、その目的とするところは、取忘れ回収部に特別に集積機構を必要とすることなく紙葉類を集積回収でき、また、識別部での識別をリトライでき、しかも、利用客の口座番号などがなくても利用者を特定できるようにした紙葉類処理装置を提供することにある。
【課題を解決するための手段】
【０００７】
上記課題を解決するため、請求項１記載のものは、投入部に投入された紙葉類を一枚ずつ取り込んで識別部で識別し、この識別部によって識別された紙葉類をその種類別に保留手段に取り込んで区分集積するとともに、複数種の紙葉類を混合保留部に取り込んで混合集積し、必要に応じて前記保留手段から必要枚数の紙葉類を繰り出して排出部に一括して排出し、この排出された紙葉類が一定時間放置されるのに基づいて該紙葉類を取り込んで取忘れ回収部に回収する紙葉類処理装置において、前記排出部に一定時間放置されて取り込まれる前記紙葉類を一旦、前記混合保留部に取り込んで集積したのち、この集積した紙葉類を一括して送り出して前記取忘れ回収部に回収させる構成とする。
【０００８】
請求項２記載のものは、投入部に投入された紙葉類を一枚ずつ取り込んで識別部で識別し、この識別部によって識別された紙葉類をその種類別に保留手段に取り込んで区分集積するとともに、複数種の紙葉類を混合保留部に取り込んで混合集積し、必要に応じて前記保留手段から必要枚数の紙葉類を繰り出して排出部に一括して排出し、この排出された紙葉類が一定時間放置されるのに基づいて該紙葉類を取り込んで取忘れ回収部に回収する紙葉類処理装置において、前記識別部で識別できなかった紙葉類を退避させる退避部と、この退避部に退避された紙葉類を前記識別部に送って再度識別させる手段とを具備する。
【０００９】
請求項３記載のものは、投入部に投入された紙葉類を一枚ずつ取り込んで識別部で識別し、この識別部によって識別された紙葉類をその種類別に保留手段に取り込んで区分集積するとともに、複数種の紙葉類を混合保留部に取り込んで混合集積し、必要に応じて前記保留手段から必要枚数の紙葉類を繰り出して排出部に一括して排出し、この排出された紙葉類が一定時間放置されるのに基づいて該紙葉類を取り込んで取忘れ回収部に回収する紙葉類処理装置において、前記識別部で識別できなかった紙葉類を退避させる退避部と、この退避部に退避された紙葉類を前記識別部に送って再度識別させる手段とを具備し、前記識別部で再度識別しても、識別できずに再度、前記退避部に集積された紙葉類を前記混合保留部に搬送して集積させたのち前記取忘れ回収部に回収する。
【００１０】
請求項４記載のものは、投入部に投入された紙葉類を一枚ずつ取り込んで識別部で識別し、この識別部によって識別された紙葉類をその種類別に保留手段に取り込んで区分集積するとともに、複数種の紙葉類を混合保留部に取り込んで混合集積し、必要に応じて前記保留手段から必要枚数の紙葉類を繰り出して排出部に一括して排出し、この排出された紙葉類が一定時間放置されるのに基づいて該紙葉類を取り込んで前記識別部で計数して取忘れ回収部に回収する紙葉類処理装置において、前記排出部に前記紙葉類が排出されてから取り込まれるまでの間、前記排出部の状態を録画する録画手段とを具備する。
【発明の効果】
【００１１】
本発明によれば、排出部に一定時間放置されて紙葉類を一枚ずつ取り込んで識別部で識別したのち一旦、混合保留部に集積し、この集積した紙葉類を一括して送り出して取忘れ回収部に回収するため、取忘れ回収部に集積機構を特別に必要とすることがなく、紙葉類を集積させることができ、コストを低減できる。
【００１２】
また、識別エラーによって退避部に集積された紙葉類は、再度、識別部に送って識別するため、識別精度を向上することができる。
【００１３】
また、再識別しても、識別できずに退避部に集積された紙葉類は一括して混合保留部に送って既に集積されている正常な紙葉類の下に集積したのち、これを取忘れ回収部に回収するため、取忘れ回収部内には正常な紙葉類と識別不能な紙葉類とを層に分けた状態で収納できる。
【００１４】
さらに、排出部に紙葉類が排出されてから取り込まれるまでの間、録画手段で排出部の状態を録画し、排出部から回収される紙葉類の計数結果と、排出部に放出される紙葉類の計数結果とが不一致であるのに基づいて前記計数結果と共に録画された映像を保存するため、取忘れ紙葉類にかかわる利用客を特定でき、利用客とのトラブルを軽減できるとともに、少ない記憶容量でも効率良い記録保存が可能となる。
【発明を実施するための最良の形態】
【００１５】
以下、図面を参照して本発明の実施の形態を詳細に説明する。  
図１は、本発明の一実施の形態である紙葉類処理装置としての紙幣処理装置を示す構成図である。
【００１６】
図中１は、紙葉類としての紙幣（以下、券という）を排出させる投入／排出部である。この投入／排出部１に投入された券は、券搬送路４に沿って搬送される。この券搬送路４中には券の搬送方向に沿って、投入・排出券を集積するための集積部２、この集積された複数枚の券を１枚ずつに分離して送り出す分離送出機構３、送り出された券の種類等を識別するとともに計数する識別部５が配設されている。
【００１７】
券搬送路４の識別部上流側には分岐路４ａを介して回収券保留部６ａが接続され、この回収券保留部６ａの下部側には回収金庫６ｂが設けられている。
【００１８】
券搬送路４の識別部下流側には第１及び第２の保留手段７，８が配設されている。第１の保留手段７は千円保留部７ａとこの千円保留部７ａの上部側に設けられる千円金庫７ｂとによって構成されている。券搬送路４に対し、千円保留部７ａは取込路４ｂを介して接続され、千円金庫７ｂは送出路４ｃを介して接続されている。
【００１９】
第２の保留手段８は五千円保留部８ａとこの五千円保留部８ａの上部側に設けられる五千円金庫８ｂとによって構成されている。券搬送路４に対し、五千円保留部８ａは取込路４ｄを介して接続され、五千円金庫８ｂは送出路４ｅを介して接続されている。
【００２０】
さらに、五千円保留部８ａの下流側には取忘れ回収部１０、一万円、二千円混合保留部１４、及びエラー券退避部１５が配設されている。
【００２１】
券搬送路４に対し、取忘れ回収部１０は取込路４ｆを介して接続され、一万円、二千円混合保留部１４は取込／送出路４ｇを介して接続され、エラー券退避部１５は取込／送出路４ｈを介して接続されている。
【００２２】
上記した千円保留部７ａ、五千円保留部８ａ、一万円、二千円混合保留部１４、及びエラー券退避部１５にはそれぞれ集積機構１８及び搬送ベルト１９が設けられている。
【００２３】
集積機構１８は搬送ベルト１９上に送り込まれた券の後端側を跳ね上げる跳上車２０を有し、後続して送り込まれてくる券の先端部を後端側が跳ね上げられている券の下部側に送り込んで搬送ベルト１９上に集積させるようになっている。
【００２４】
図２は、券売機の構成を示すものである。
【００２５】
券売機は、紙幣処理装置Ａ、接客部画面Ｂ、発券処理装置Ｃ、カード処理装置Ｄ、及び硬貨処理装置Ｅ、さらに、録画手段としてのＣＣＤカメラＦを備え、これら紙幣処理装置Ａ、接客部画面Ｂ、発券処理装置Ｃ、カード処理装置Ｄ、及び硬貨処理装置Ｅ、さらに、録画手段としてのＣＣＤカメラＦは、制御回路を介して制御部Ｇに接続されている。
【００２６】
次に、上記したように構成される紙幣処理装置の各種処理動作について説明する。
【００２７】
（１）受付動作
客が投入排出部１から複数枚の券を投入すると、この券は一旦、集積部２に集積される。この集積部２に集積された券は分離送出部３によって１枚ずつ分離されて券搬送路４に送り出される。この送り出された券は識別部５に送られてその金種等が識別されるとともに枚数が計数される。そして、この識別結果に基づいて券は金種ごとの保留部に集積される。即ち、千円は千円保留部７ａ、五千円は五千円保留部８ａ、一万円及び二千円は混合保留部１４に集積される。
【００２８】
取引が確定すると、千円は千円保留部７ａから千円金庫７ａに収納され、五千円は五千円保留部８ａから五千円金庫８ｂに収納される。一万円及び二千円は混合保留部１４から取り出されて搬送され回収金庫６ｂに回収される。
【００２９】
上記した識別部５で判別できなかった識別エラー券は、エラー券退避部１５に保留され、この保留後、利用者に返却される。
【００３０】
また、客の投入した券は、受付動作終了後（例えば切符の購入が終了した後）には、釣出し用の券として再利用される。
【００３１】
（２）釣出し動作
お釣を払い出す動作では、各券の金庫７ｂ、８ｂから必要な枚数の券が取り出され、券搬送路４を経由して集積部２に蓄えられる。全ての釣札が集積部２に集積された後、一括して投入排出部１に排出されて釣出し動作を完了する。
【００３２】
ところで、投入排出部１に排出された排出券が一定時間経過しても抜き取られない場合には取り忘れと判断される。この場合には、再び、集積部２に取り込んで１枚ずつ分離して送り出し、識別部５で金種判定して計数したのち、従来においては、直接、取忘れ回収部１０に収納していた。
【００３３】
このため、従来技術では、１枚ずつ搬送されてくる券を集積する集積機構が取忘れ回収部１０に必要であった。
【００３４】
本発明では、１枚ずつ搬送されてくる券を一旦、混合保留部１４に集積させ、その後、集積状態のまま一括して送り出して取忘れ回収部１０に収納させる。
【００３５】
即ち、本発明では、混合保留部１４の集積機構１８を利用して券を集積させてから、回収庫１０に送り込むため、取忘れ回収部１０には集積機構を必要とすることなく、券の集積が可能となる。
【００３６】
また、投入排出部１に排出された券が一定時間放置されて回収されるまでの間、券売機に搭載されたＣＣＤカメラＦで投入排出部１の状態が録画される。回収される券の計数結果が、投入排出部１に排出された券の金額と不一致だった場合には、その計数結果と共に映像を保存する。これにより、取忘回収金にかかわる利用客を特定でき、利用客とのトラブルを軽減できるとともに、少ない記憶容量でも効率の良い記録保存が可能となる。
【００３７】
一方、識別部５で金種が判定できなかった券はエラー券退避部１５に集積されるが、この場合には、エラー券退避部１５から一括して送り出して再度、集積部２に戻し、この集積部２から一枚ずつ送り出して再度、識別部５で識別させる。このように券を再度、識別させるため、識別性能を向上させることが可能となる。
【００３８】
また、再度、識別しても、エラーとなった券は、エラー券退避部１５に退避させたのち、エラー券退避部１５から混合保留部１４に一括して搬送し、既に保留されている正常な券の下に重ね合わせてから取忘れ回収部１０に一括して搬送して回収する。これにより、正常な券とエラー券とを層状に分けて収納することができる。
【００３９】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００４０】
【図１】本発明の一実施の形態である紙幣処理装置を示す構成図。
【図２】図１の紙幣処理装置を備える券売機の構成を示すブロック図。
【符号の説明】
【００４１】
１…投入部／排出部、５…識別部、７，８…保留手段、１０…取忘れ回収部、１４…混合保留部、１５…退避部、Ｆ…ＣＣＤカメラ（録画手段）。
【図１】
2007156733.tif 000003
【図２】
2007156733.tif 000004